(57)【特許請求の範囲】
【請求項１】
空気中の水分を吸収する吸湿温度領域とこの吸湿温度領域よりも高温領域に含まれて吸収した水分を空気中に放出する脱水温度領域とが存在する可逆的水分吸着特性を発揮する乾燥剤を表面層として備えている金属製のフィン群と、
空気入口と空気出口とを有して上記フィン群を収容している通気室と、
上記フィン群を加熱して上記乾燥剤を脱水温度領域に属する温度に加熱するための加熱手段と、を備え、
上記空気入口に居住室から延び出た空気戻り管路が接続され、上記空気出口には前記居住室に通じる送気管路が接続されており、
前記空気戻り管路の途中箇所に、外気を前記空気戻り管路に導入する外気管路が接続され、その接続箇所に、前記居住室の空気を上記空気入口に導入するモードと、外気を上記空気入口に導入するモードとを切り換えるための切替弁が介在され、
前記送気管路には、上記空気出口から出た空気を前記居住室の外方へ排出することに使われる切替弁が介在されており、上記加熱手段は、上記フィン群が固着された主伝熱管と、この主伝熱管内で流通する温水を発生させる太陽熱温水器とを有する上記主加熱手段と、
上記フィン群が固着された副伝熱管と、この副伝熱管内で流通する熱媒を発生させるヒートポンプとを備える補助加熱手段と、
によって構成されていることを特徴とする調湿装置。
【請求項２】
上記表面層を形成している乾燥剤は、吸湿温度領域が０〜３０℃であり、脱水温度領域が６０〜８０℃である合成ゼオライトでなる請求項１に記載した調湿装置。
【発明の詳細な説明】
【技術分野】
【０００１】
本発明は、調湿装置、特に、吸湿温度領域とそれよりも高温域の脱水温度領域とが存在する可逆的水分吸着特性を発揮する乾燥剤の上記特性を利用している調湿装置に関する。
【背景技術】
【０００２】
従来より、建物内の空気環境を適切な範囲に保つことのために、自然素材や人工調湿建材（無垢材等）の可逆的水分吸着特性を利用するという着想が存在している（たとえば、特許文献１参照）。
【先行技術文献】
【特許文献】
【０００３】
【特許文献１】特開２００４−３３３１０６号公報（００４９〜００５１）
【発明の概要】
【発明が解決しようとする課題】
【０００４】
しかしながら、特許文献１に記載されている上記の着想だけでは、夏場や冬場に居住空間の調湿を効率的に行うことには無理がある。
【０００５】
本発明は、以上の状況の下でなされたものであり、上記したような無垢材等以外の特定の乾燥剤が可逆的水分吸着特性を発揮することに着目し、その乾燥剤の可逆的水分吸着特性を利用することによって、夏場及び冬場での外気又は内気（室内空気）の調湿を効率的に行うことできる調湿装置を提供することを目的とする。
【課題を解決するための手段】
【０００６】
本発明に係る調湿装置は、空気中の水分を吸収する吸湿温度領域とこの吸湿温度領域よりも高温領域に含まれて吸収した水分を空気中に放出する脱水温度領域とが存在する可逆的水分吸着特性を発揮する乾燥剤を表面層として備えている金属製のフィン群と、空気入口と空気出口とを有して上記フィン群を収容している通気室と、上記フィン群を加熱して上記乾燥剤を脱水温度領域に属する温度に加熱するための加熱手段と、を備え、上記空気入口に居住室から延び出た空気戻り管路が接続され、上記空気出口には前記居住室に通じる送気管路が接続されており、前記空気戻り管路の途中箇所に、外気を前記空気戻り管路に導入する外気管路が接続され、その接続箇所に、前記居住室の空気を上記空気入口に導入するモードと、外気を上記空気入口に導入するモードとを切り換えるための切替弁が介在され、前記送気管路には、上記空気出口から出た空気を前記居住室の外方へ排出することに使われる切替弁が介在されており、上記加熱手段は、上記フィン群が固着された主伝熱管と、この主伝熱管内で流通する温水を発生させる太陽熱温水器とを有する上記主加熱手段と、上記フィン群が固着された副伝熱管と、この副伝熱管内で流通する熱媒を発生させるヒートポンプとを備える補助加熱手段と、によって構成されている。
【０００７】
この構成の調湿装置において、フィン群の表面層を形成している乾燥剤の吸湿温度領域に含まれる温度に空気を制御して通気室に導入すると、通気室内の空気が乾燥剤に接触してその乾燥剤が空気中に含まれる水分を吸収し、空気の湿度が低下する。
【０００８】
その一方で、フィン群の表面層を形成している乾燥剤による水分の吸収能力には限界があり、その吸収能力が飽和してしまうと、乾燥剤による水分の吸収能力は発揮されなくなる。そこで、加熱手段の作用でフィン群を加熱して乾燥剤を脱水温度領域に属する温度に加熱すると、乾燥剤に吸収されている水分が通気室内の空気中に放出されて、当該乾燥剤による水分の吸収能力が再生される。
【０００９】
したがって、気温の高い夏場のように外気や室内空気の湿度が高いときには、空気戻り管路の途中箇所に介在されている切替弁を居住室の空気を調湿装置の空気入口に導入するモードにし、また、送気管路に介在されている切替弁を調湿装置の空気出口から出た空気が居住室に送られるモードにすることにより、フィン群の表面層を形成している乾燥剤による水分の吸収能力を活用することによって居住室の空気の湿度を下げることができ、そして、吸収能力が飽和して、乾燥剤による水分の吸収能力が発揮されなくなったときには、空気戻り管路の途中箇所に介在されている切替弁を外気を調湿装置の空気入口に導入するモードにし、また、送気管路に介在されている切替弁を調湿装置の空気出口が外気に開放されるようにして、乾燥剤がその脱水温度領域に加熱されると、乾燥剤の可逆的水分吸着特性により、乾燥剤に吸収されていた水分が外気に放出されて乾燥剤が再生される。また、気温の低い冬場のように外気や室内空気が乾燥しているときには、まず、空気戻り管路の途中箇所に介在されている切替弁を外気を調湿装置の空気入口に導入するモードにし、また、送気管路に介在されている切替弁を調湿装置の空気出口が外気に開放されるようにすることにより、通気室を流通する空気中の水分が乾燥剤に吸収され、乾燥剤に十分な量の空気中の水分を吸収させ、そして、空気戻り管路の途中箇所に介在されている切替弁を居住室の空気を調湿装置の空気入口に導入するモードにし、また、送気管路に介在されている切替弁を調湿装置の空気出口から出た空気が居住室に送られるモードにすることにより、加熱手段の作用で乾燥剤を脱水温度領域に属する温度に加熱することによって、乾燥剤に吸収されている水分を通気室内の空気中に放出させて居住室の空気の湿度を上げることができる。
【００１０】
さらに本発明では、上記の通り、上記加熱手段は、上記フィン群が固着された主伝熱管と、この主伝熱管内で流通する温水を発生させる太陽熱温水器とを有する上記主加熱手段と、上記フィン群が固着された副伝熱管と、この副伝熱管内で流通する熱媒を発生させるヒートポンプとを備える補助加熱手段と、によって構成されているが、この構成であると、太陽熱温水器は、太陽熱で水を温めて温水を発生させる機能を備え、多くの場合には住宅の屋根に設置される。この太陽熱温水器によると、気温の高い夏場に効率よく温水を発生させることができ、また、気温の低い冬場であっても温水を発生させることが可能であり、太陽熱温水器によって十分に高温の温水を発生させることが困難なときに、ヒートポンプによって発生させた高温の熱媒を利用してフィン群の表面層を形成している乾燥剤を加熱して脱水させることが可能になる。
【００１１】
本発明において、上記表面層を形成している乾燥剤は、吸湿温度領域が０〜３０℃であり、脱水温度領域が６０〜８０℃である合成ゼオライトでなることが望ましい。合成ゼオライトは、天然に産出するゼオライトに由来する乾燥剤であり、「モレキュラーシーブ」あるいは「エスロン」と称されることがある。このものは、６０〜８０℃の熱を加えると、吸収している水分をすべて放出するのに対し、３０℃前後では水分を吸収する。また、３０℃以下であっても、氷点下以外の温度領域では水分を吸収する。したがって、気温と空気中の湿度の高い夏場には上記合成ゼオライトの水分吸収性能を利用することにより、また、気温と空気中の湿度の低い冬場には上記合成ゼオライトの水分放出性能を利用することより、空気の湿度を適切に調節することが可能になる。
【発明の効果】
【００１２】
以上のように、本発明によると、合成ゼオライトのような乾燥剤の可逆的水分吸着特性を利用して、夏場及び冬場での空気の調湿を効率的に行うことができるようになる。
【図面の簡単な説明】
【００１３】
【図１】本発明の実施形態に係る調湿装置を例示した説明図である。
【図２】夏場の調湿運転モードを例示した空調システムの全体説明図である。
【図３】（Ａ）〜（Ｄ）は夏場の調湿運転での切替弁などの状態を示した説明図である。
【図４】夏場の乾燥剤再生運転モードを例示した空調システムの全体説明図である。
【図５】夏場の乾燥剤再生運転での切替弁の状態を示した説明図である。
【図６】冬場の水分吸収運転モードを例示した空調システムの全体説明図である。
【図７】冬場の水分吸収運転での切替弁などの状態を示した説明図である。
【図８】冬場の調湿運転モードを例示した空調システムの全体説明図である。
【図９】冬場の調湿運転での切替弁などの状態を示した説明図である。
【図１０】ラジエータの説明図である。
【発明を実施するための形態】
【００１４】
図１は本発明の実施形態に係る調湿装置１０を例示した説明図である。同図の調湿装置は、矩形箱形の筐体１１の内部空間が通気室１２として形成されていて、その通気室１２に連通する空気入口１３と空気出口１４とが筐体１１の相反する側に設けられている。通気室１２には、蛇行状の主伝熱管２１及び蛇行状の副伝熱管２５とが配備されている。そして、主伝熱管２１の熱媒入口２２及び熱媒出口２３が筐体１１の相反する側に突出している。同様に、副伝熱管２５の熱媒入口２６及び熱媒出口２７も筐体１１の相反する側に突出している。また、蛇行状に曲がっている主伝熱管２１及び副伝熱管２５には、金属薄板で作られて平行に配備された多数のフィンの集合であるフィン群３１が固着されていて、このフィン群３１に通気室１２を流通する空気が接触するように構成されている。
【００１５】
主伝熱管２１の熱媒入口２２には、太陽熱温水器の温水供給管路（不図示）が接続されているのに対し、主伝熱管２１の熱媒出口２３には、上記太陽熱温水器の温水戻り管路（不図示）が接続されている。そして、太陽熱温水器で発生した温水が主伝熱管２１の管路を流通することによってフィン群３１が加熱されるように構成されている。したがって、フィン群３１が固着されている主伝熱管２１と太陽熱温水器とによって主加熱手段２０Ａが構成されている。
【００１６】
また、副伝熱管２５の熱媒入口２６にはヒートポンプ４０の熱媒供給管路４１が接続され、副伝熱管２５の熱媒出口２７には、ヒートポンプ４０の熱媒戻り管路４２が接続されている。そして、ヒートポンプ４０の熱媒体が副伝熱管２５の管路を流通することによってもフィン群３１が加熱されるように構成されている。したがって、フィン群３１が固着された副伝熱管２５とヒートポンプ４０とによって補助加熱手段２０Ｂが構成されている。この補助加熱手段２０Ｂは、主加熱手段２０Ａによる加熱作用を補助する役割を担っている。
【００１７】
図１中に拡大して示したように、フィン群３１を形成している個々のフィン３２の外面には乾燥剤が塗布されていて、この乾燥剤がフィン群３１の表面層５０を形成している。フィン群３１の表面層５０を形成している乾燥剤は可逆的水分吸着特性を発揮する。ここで、乾燥剤の可逆的水分吸着特性とは、乾燥剤自体が、空気中の水分を吸収する吸湿温度領域と吸収した水分を空気中に放出する脱水温度領域とを有していて、吸湿温度領域に含まれる温度では乾燥剤が空気中の水分を吸収し、脱水温度領域に含まれる温度では乾燥剤が吸収している水分を放出するという特性のことである。そして、この実施形態に採用されているフィン群３１の表面層５０を形成している乾燥剤は、脱水温度領域が吸湿温度領域よりも高温領域に含まれている。
【００１８】
この実施形態で使用されている乾燥剤は、吸湿温度領域が０〜３０℃であり、脱水温度領域が６０〜８０℃である合成ゼオライトである。上記したように、合成ゼオライトは、天然に産出するゼオライトに由来する乾燥剤であり、「モレキュラーシーブ」あるいは「エスロン」と称されている。また、実施形態のように合成ゼオライトを乾燥剤として用いると、合成ゼオライトの水分吸収性能を利用することにより、気温と空気中の湿度の高い夏場の空気中の水分を吸収させて湿度を低下させることができる。また、合成ゼオライトの水分放出性能を利用することより、気温と空気中の湿度の低い冬場の空気中に水分を放出させて空気の湿度を上げ、空気の過乾燥を防ぐことができる。
【００１９】
次に、図１を参照して説明した調湿装置１０を利用して居住室の湿度調整を行う空調システムを図２〜図９を参照して説明する。図２、図４、図６及び図８は空調システムの全体説明図である。これらの図によって明らかなように、調湿装置１０の空気入口１３に居住室Ｒから延び出た空気戻り管路６１が接続され、空気出口１４には居住室Ｒに通じる送気管路６２が接続されている。そして、空気戻り管路６１の途中箇所に、外気を空気戻り管路６１に導入する外気管路６３が接続されていて、その接続箇所に、居住室Ｒの空気を上記空気入口１３に導入するモードと、外気を上記空気入口１３に導入するモードとを切り換えるための切替弁ａが介在されている。また、送気管路６２には、湿度計６４と送風ファン（シロッコファン）６５が介在されていると共に、上記空気出口１４から出た空気を居住室Ｒの外方へ排出することに使われる切替弁ｃが介在されている。さらに、上記した空気戻り管路６１における切替弁ａの下流側部分にバイパス管路７１が接続されていて、このバイパス管路７１に空気冷却用のラジエータ７２が介在されている。バイパス管路７１の上流側端部と空気戻り管路６１との接続箇所に切替弁ｂが介在されていて、この切替弁ｂによって、空気をラジエータ７２を通さずに調湿装置１０の空気入口１３に導入するモードと、空気をラジエータ７２を通して調湿装置１０の空気入口１３に導入するモードと、を選択することができるようになっている。ラジエータ７２の構成は図１０に概略的に示してあり、同図のラジエータの構成については後述する。
【００２０】
居住室Ｒの屋根に太陽熱温水器８１が設置されている。そして、太陽熱温水器８１の温水供給管路８２が調湿装置１０の熱媒入口２２に接続されていて、その温水供給管路８２の途中箇所に遮断弁ｄが介在されている。調湿装置２０の熱媒出口２３に太陽熱温水器８１の温水戻り管路８３が接続されている。
【００２１】
上記した空気戻り管路６１や外気管路６３は、それらの一部が地中に設置された温度調整ユニット６６に接続されている。この温度調整ユニット６６は、地熱温度が季節の変化に関係なく年間を通じてほゞ一定に保たれていることを利用して、空気戻り管路６１や外気管路６３を流通する空気の温度を地熱温度と同等に制御する機能を有している。
図１０を参照してラジエータ７２の構成を説明する。同図のように、このラジエータ７２は、矩形箱形の筐体７３の内部空間が通気室７４として形成されていて、その通気室７４に連通する空気入口７５と空気出口７６とが筐体７３の相反する側に設けられている。通気室７４には、フィン群７７を有する蛇行状の伝熱管７８が配備されている。そして、伝熱管７８の熱媒入口及び熱媒出口が筐体７３の相反する側に突出している。
【００２２】
次に、空調システムの作用を夏場と冬場に分けて説明する。ここで、夏場とは、外気温が高く、外気の湿度が５０％以上を示す季節のことであり、冬場とは、外気温が低く、外気の湿度が５０％以下を示す季節のことである。
【００２３】
図２は夏場に居住室Ｒの室内空気の湿度を５０％以下に調節する場合を示している。夏場の外気は湿度が高いので、夏場の調湿運転は、居住室Ｒの室内空気の湿度を下げることを意図する運転である。
【００２４】
図２又は図３（Ａ）に示したように、切替弁ａは、居住室Ｒの空気が、空気戻り管路６１を流通して温度調整ユニット６６を通過し、調湿装置１０の空気入口１３に導入されるモードに切り換えられている。また、切替弁ｃは調湿装置１０の空気出口１４から出た空気が居住室Ｒに送られるモードに切り換えられている。さらに、切替弁ｂは空気をラジエータ７２を通さずに調湿装置１０に送るモードに切り換えられ、遮断弁ｄは遮断モードに設定されている。
【００２５】
居住室Ｒの空気の湿度を５０％に以下に抑えるための夏場の調湿運転において、送風ファン６５が起動されると、居住室Ｒの空気が、空気戻り管路６１を流通して温度調整ユニット６６を通過し、切替弁ａ及び切替弁ｂを経て調湿装置１０の空気入口１３に導入され、調湿装置１０の通気室１２を流通し、空気出口１４から出て送気管路６２を通って居住室Ｒに送気される。
【００２６】
このような循環経路は、湿度計６４によって計測される送気管路６２の空気の湿度が５０％以下である間は維持され、湿度計６４によって計測される送気管路６２の空気の湿度が５０％以上になったときには上記経路が遮断される。この点についてはさらに後述する。
【００２７】
上記した夏場の調湿運転において、温度調整ユニット６６を通過した空気の温度は地熱温度と同等の温度に制御される。地熱温度は年間を通じて０℃以上３０℃以下、たとえば２５℃前後を維持しているので、温度調整ユニット６６に入る空気が仮に３０℃以上の高温であっても、温度調整ユニット６６を通過した空気の温度は０〜３０℃以下に制御される。そのため、調湿装置１０の通気室１２では、３０℃以下の温度に制御された空気が、図１に示したフィン群３１の表面層５０を形成している乾燥剤と接触する。この乾燥剤は、吸湿温度領域が０〜３０℃で空気中の水分を吸収するという吸着特性を有しているため、通気室１２を流通する空気中の水分が乾燥剤に吸収される。その結果、居住室Ｒに送気される空気の湿度が５０％以下になり、居住室Ｒでは蒸し暑さを感じない程度の湿度環境が保たれる。
【００２８】
上記した夏場の調湿運転では、居住室Ｒの空気を空気戻り管路６１を経て居住室Ｒに再循環させる事例を説明したけれども、この点は、外気を居住室Ｒに送気するという外気導入運転を行うことも可能である。夏場の調湿運転で、上記の外気導入運転を行う場合には、図３（Ｂ）のように切替弁ａを切り換えることにより、外気管路６３に導入した外気を空気戻り管路６１に送気する。外気管路６３にも温度調整ユニット６６が備わっているので、この外気導入運転を行うことによっても、居住室Ｒに送気される空気の湿度が５０％以下になり、居住室Ｒでは蒸し暑さを感じない程度の湿度環境が保たれる。
【００２９】
また、調湿装置１０の上流側に設けられているラジエータ７２を利用して空気を冷却することにより、調湿装置１０の通気室１２に導入される空気の飽和水蒸気量を少なくして調湿効率を高めることも可能である。この場合において、上記した夏場の調湿運転では、図３（Ｃ）のように切替弁ｂを切り換えて空気をバイパス７１に送り込む。このようにすると、空気がラジエータ７２の通気室７４を通過することにより冷却されてその飽和水蒸気量が少なくなる。したがって、調湿装置１０の乾燥剤による水分吸収のための負担が軽減されて、長時間の連続した夏場の調湿運転が可能になる。同様に上記した外気導入運転下でも、図３（Ｄ）のように切替弁ｂを切り換えて空気をバイパス７１に送り込むことにより同様の作用が発揮される。
【００３０】
上記した夏場の調湿運転を連続して行うと、調湿装置１０のフィン群３１の表面層５０を形成している乾燥剤の水分吸収能力が低下していく。そこで、湿度計６４による計測値が５０％以上になったところで、乾燥剤を再生するための乾燥剤再生運転に移行する。
【００３１】
図４は夏場の乾燥剤再生運転を行う場合を示している。この乾燥剤再生運転では、湿度計６４の計測値が５０％以上になったところで、図４及び図５に示したように、切替弁ａは、外気管路６３に導入した外気を空気戻り管路６１に送気するモードとし。また、遮断弁ｄが切り換えられて、太陽熱温水器８１で発生した温水が温水供給管路８２を経て調湿装置１０の熱媒入口２２に導入され、併せて、切替弁ｃが切り換えられて調湿装置１０の空気出口１４が外気に開放される。この乾燥剤再生運転を行うと、調湿装置１０の主伝熱管２１に太陽熱温水器８１で発生した温水が供給されるため、主伝熱管２１に固着されているフィン群３１の表面層５０を形成している乾燥剤が加熱される。そして、上記温水により乾燥剤がその脱水温度領域である６０〜８０℃の範囲内の温度に加熱されると、乾燥剤の可逆的水分吸着特性により、乾燥剤に吸収されていた水分が空気中に放出されて乾燥剤が再生される。なお、この乾燥剤再生運転では、調湿装置１０の通気室１２を流通する空気に乾燥剤から放出された水分が混ざってその空気の湿度が上がる。したがって、この高湿度の空気は切替弁ｃを経て外気に放出される。
【００３２】
乾燥剤再生運転を行うときに、たとえ夏場であっても、太陽熱温水器８１で発生する温水が乾燥剤の脱水温度領域である６０〜８０℃に達しないことも起こり得る。その場合には、ヒートポンプ４０を運転することにより、６０〜８０℃の熱媒体を調湿装置１０の副伝熱管２５に送り込む。
【００３３】
夏場の乾燥剤再生運転では、切替弁ａは外気が調湿装置１０の空気入口１３に導入されるモードに設定され、切替弁ｃは調湿装置１０の空気出口１４を外気に開放するモードに設定されている。これにより、外気が、外気管路６３を流通して、調湿装置１０の空気入口１３に導入され、調湿装置１０の通気室１２を流通し、空気出口１４から出て外気に放出される。
【００３４】
乾燥剤再生運転を行うことよって、乾燥剤が再生されたか否かは、湿度計６４による計測値によって判断し、湿度計６４の計測値が５０％以下の十分に低い値に達したところで、上記した夏場の調湿運転に回帰する。
【００３５】
なお、居住室Ｒの室温制御は、居住室Ｒに設置したエアーコンディショナーＣを利用して行うことが可能である。
【００３６】
図６は冬場に居住室Ｒの室内空気の湿度を５０％以上の適切な値に調節する場合を示している。冬場の外気は乾燥しているので、冬場の調湿運転は、居住室Ｒの室内空気の湿度を高くすることを意図する運転である。
【００３７】
冬場の調湿運転を行うに先立ち、調湿装置１０のフィン群３１の表面層５０を形成している乾燥剤に水分を吸収させるという水分吸収運転（冬場の水分吸収運転）が行われる。
【００３８】
図６及び図７に示したように、切替弁ａは温度調整ユニット６６を通過した外気が調湿装置１０の空気入口１３に導入されるモードに設定され、切替弁ｂは外気をラジエータ７１を通さずに調湿装置１０に送るモードに切り換えられている。また、切替弁ｃは調湿装置１０の空気出口１４を外気に開放するモードに設定されている。さらに、遮断弁ｄは遮断モードに設定されている。
【００３９】
冬場の水分吸収運転において、送風ファン６５が起動されると、外気が、外気管路６３を流通して温度調整ユニット６６を通過し、切替弁ａ及び切替弁ｂを経て調湿装置１０の空気入口１３に導入され、調湿装置１０の通気室１２を流通し、空気出口１４から出て切替弁ｃにより外気に放出される。
【００４０】
こうして冬場の水分吸収運転を行うと、外気が温度調整ユニット６６を通過することによって地熱温度と同等の温度に制御される。地熱温度は年間を通じて０〜３０℃、たとえば２５℃前後を維持しているので、温度調整ユニット６６を通過した空気の温度は０〜３０℃に制御される。そのため、調湿装置１０の通気室１２では、０〜３０℃の温度に制御された空気が、図１に示したフィン群３１の表面層５０を形成している乾燥剤と接触する。この乾燥剤は、吸湿温度領域が０〜３０℃で空気中の水分を吸収するという吸着特性を有しているため、通気室１２を流通する空気中の水分が乾燥剤に吸収される。乾燥剤に空気中の水分が十分に吸収されたか否かは、切替弁ｃから外気に放出される空気の湿度を湿度計６４によって計測して判断することが可能である。
【００４１】
こうして乾燥剤に十分な量の空気中の水分を吸収させた後に、冬場の調湿運転に移行する。
【００４２】
冬場の調湿運転では、図８又は図９のように、切替弁ｃが切り換えられて、調湿装置１０の空気出口１４を出た空気が居住室Ｒに送り込まれる。また、遮断弁ｄが切り換えられて、太陽熱温水器８１で発生した温水が温水供給管路８２を経て調湿装置１０の熱媒入口２２に導入される。こうして冬場の調湿運転を行うと、調湿装置１０の主伝熱管２１に太陽熱温水器８１で発生した温水が供給されるため、主伝熱管２１に固着されているフィン群３１の表面層５０を形成している乾燥剤が加熱される。そして、上記温水により乾燥剤がその脱水温度領域である６０〜８０℃の範囲内の温度に加熱されると、乾燥剤の可逆的水分吸着特性により、乾燥剤に吸収されていた水分が空気中に放出される。これにより、調湿装置１０の通気室１２を流通する空気に乾燥剤から放出された水分が混ざってその空気の湿度が上がる。したがって、居住室Ｒに送り込まれる空気の乾燥度が低下し、居住室Ｒの湿度環境が良好に保たれる。
【００４３】
冬場の調湿運転を行うときに、太陽熱温水器８１で発生する温水が乾燥剤の脱水温度領域である６０〜８０℃に達しないことも起こり得る。その場合には、ヒートポンプ４０を運転することにより、６０〜８０℃の熱媒体を調湿装置１０の副伝熱管２５に送り込む。
【００４４】
この調湿運転は、切替弁ａによって居住室Ｒに空気が循環されるモードが選定されているときでも、切替弁ａによって外気が居住室Ｒに送り込まれるモードが選定されているときでも、同様に行うことが可能である。
【００４５】
冬場の調湿運転を連続して行うと、乾燥剤に吸収されている水分量が減少してその調湿運転を続行できなくなる。そこで、湿度計６４の計測値により、居住室Ｒに送り込まれる空気が乾燥しすぎていると判断されたときに、図６及び図７を参照して説明した冬場の水分吸収運転に移行する。
【００４６】
なお、居住室Ｒの室温制御は、居住室Ｒに設置したエアーコンディショナーＣを利用して行うことが可能である。
【００４７】
以上では、夏場の調湿運転と乾燥剤再生運転とを交互に行い、冬場の調湿運転と水分吸収運転とを交互に行う事例を説明したけれども、この点は、図２、図４、図６、図８に示した空調システムを２系統用意し、夏場には、一方側の空調システムで調湿運転を行っているときに他方側の空調システムで乾燥剤再生運転を行い、冬場には、一方側の空調システムで調湿運転を行っているときに他方側の空調システムで水分吸収運転を行うことも可能である。このようにすると、夏場及び冬場に、連続した調湿運転を行うことが可能である。
【符号の説明】
【００４８】
１０  調湿装置
１２  通気室
１３  空気入口
１４  空気出口
２０Ａ  主加熱手段（加熱手段）
２０Ｂ  補助加熱手段（加熱手段）
２１  主伝熱管
２５  副伝熱管
３１  フィン群
４０  ヒートポンプ
５０  表面層
８１  太陽熱温水器
【図１】
0005337112.tif 000002
【図２】
0005337112.tif 000003
【図３】
0005337112.tif 000004
【図４】
0005337112.tif 000005
【図５】
0005337112.tif 000006
【図６】
0005337112.tif 000007
【図７】
0005337112.tif 000008
【図８】
0005337112.tif 000009
【図９】
0005337112.tif 000010
【図１０】
0005337112.tif 000011